(57)【要約】【課題】熱交換コイルとファンの交換や保守点検が容易に行える天井設置形ファンコイルユニットを得る。【解決手段】  熱交換用のメインコイルブロック１と送風用のファンブロック２を備える。メインコイルブロック１の底板部３を着脱自在とすると共に、メインコイルブロック１の一対の側板部４、４に、熱交換コイル７を抜差自在な下方開口状の切欠部５を各々形成する。伝熱面積の異なる熱交換コイル７に共用される端板部１０を、熱交換コイル７の熱源出入口９側の一端部とその反対側の他端部に各々設ける。一端部と他端部を反転自在として端板部１０で切欠部４を各々塞ぐようにして、底板部３を取り外したメインコイルブロック１に熱交換コイル７を着脱自在に取付ける。メインコイルブロック１の熱源出入口９側の一端部とその反対側の他端部を反転自在として、ファンブロック２とメインコイルブロック１を着脱自在に取付ける。【選択図】図１
2008261541.tif 000002
【特許請求の範囲】
【請求項１】
熱交換用のメインコイルブロック１と送風用のファンブロック２を備え、前記メインコイルブロック１の底板部３を着脱自在とすると共に、前記メインコイルブロック１の一対の側板部４、４に、熱交換コイル７を抜差自在な下方開口状の切欠部５を各々形成し、伝熱面積の異なる前記熱交換コイル７に共用される端板部１０を、前記熱交換コイル７の熱源出入口９側の一端部とその反対側の他端部に各々設け、この一端部と他端部を反転自在として前記端板部１０で前記切欠部４を各々塞ぐようにして、前記底板部３を取り外した前記メインコイルブロック１に前記熱交換コイル７を着脱自在に取付け、さらに、前記メインコイルブロック１の熱源出入口９側の一端部とその反対側の他端部を反転自在として、前記ファンブロック２と前記メインコイルブロック１を着脱自在に取付けたことを特徴とする天井設置形ファンコイルユニット。
【請求項２】
ファンブロック２の底面開口部と側面開口部に共用される蓋板部１３を、前記底面開口部と前記側面開口部のうちの一方に着脱自在に取付けて他方を通風口とし、この通風口に第１のダクト接続用フランジ１４を着脱自在に取付けた請求項１記載の天井設置形ファンコイルユニット。
【請求項３】
ファンブロック２の天板部１７を着脱自在とすると共に、前記天板部１７と蓋板部１３と第１フランジ１４のうちのいずれかを取外して成る前記ファンブロック２の開口部からファン１１を取出・取付自在に構成した請求項２記載の天井設置形ファンコイルユニット。
【請求項４】
メインコイルブロック１の通風口に第２のダクト接続用フランジ１２を着脱自在に取付けた天井設置形ファンコイルユニットにおいて、空気加熱用のサブコイルブロック１６を備え、前記メインコイルブロック１と前記サブコイルブロック１６と前記第２フランジ１２の取付穴のピッチを同一にし、前記メインコイルブロック１から前記第２フランジ１２を取外し、前記メインコイルブロック１に前記サブコイルブロック１６を着脱自在に取付けると共に、前記サブコイルブロック１６の通風口に前記第２フランジ１２を着脱自在に取付けた請求項１、２又は３記載の天井設置形ファンコイルユニット。
【請求項５】
ファンブロック２の通風口に第１フランジ１４を着脱自在に取付けた天井設置形ファンコイルユニットにおいて、空気清浄用のフィルタブロック１５を備え、前記ファンブロック２と前記フィルタブロック１５と前記第１フランジ１４の取付穴のピッチを同一にし、前記ファンブロック２から前記第１フランジ１４を取外し、前記ファンブロック２に前記フィルタブロック１５を着脱自在に取付けると共に、前記フィルタブロック１５の通風口に前記第１フランジ１４を着脱自在に取付けた請求項１、２、３又は４記載の天井設置形ファンコイルユニット。
【発明の詳細な説明】
【技術分野】
【０００１】
本発明は天井設置形ファンコイルユニットに関するものである。
【背景技術】
【０００２】
従来の天井設置形のファンコイルユニットは、１つのケーシングの内部に熱交換コイルとファンを取付けてあり、ケーシングを完全に分解しないと熱交換コイルやファンを取り外せない構造であった。そのため、製作後に熱交換コイルの熱源出入口の向き、いわゆる配管勝手を反対にしたり、熱交換コイルやファンを交換・変更するのが困難で、手間がかかる問題があった。
【０００３】
【特許文献１】特開２０００−６５３８７号公報
【発明の開示】
【発明が解決しようとする課題】
【０００４】
また、一旦天井に設置してしまうと、ファンコイルユニット全体を降ろさなければ熱交換コイルやファンを取外すことができず、交換や保守点検が面倒であった。
【課題を解決するための手段】
【０００５】
本発明は上記課題を解決するため、熱交換用のメインコイルブロックと送風用のファンブロックを備え、前記メインコイルブロックの底板部を着脱自在とすると共に、前記メインコイルブロックの一対の側板部に、熱交換コイルを抜差自在な下方開口状の切欠部を各々形成し、伝熱面積の異なる前記熱交換コイルに共用される端板部を、前記熱交換コイルの熱源出入口側の一端部とその反対側の他端部に各々設け、この一端部と他端部を反転自在として前記端板部で前記切欠部を各々塞ぐようにして、前記底板部を取り外した前記メインコイルブロックに前記熱交換コイルを着脱自在に取付け、さらに、前記メインコイルブロックの熱源出入口側の一端部とその反対側の他端部を反転自在として、前記ファンブロックと前記メインコイルブロックを着脱自在に取付けたことを最も主要な特徴とする。
【発明の効果】
【０００６】
請求項１の発明によれば、組立後でも、メインコイルブロック１に対して熱交換コイル７を脱着・反転させるか、ファンブロック２に対してメインコイルブロック１を脱着・反転させるだけで、ファンコイルユニットの配管勝手を容易に変更できる。さらに、メインコイルブロック１に対して熱交換コイル７を脱着・交換することがで通風方向に伝熱面積（能力）の異なるものに容易に変更できる。しかも、天井設置後でも熱交換コイル７の配管勝手の変更や能力変更を容易に行える。また、底板部３を取外したときのメインコイルブロック１の開口部を、保守点検口として利用できるので、天井設置後でもファンコイルユニット全体を降ろさずに、熱交換コイル７の保守点検を容易に行える。
【０００７】
請求項２の発明によれば、接続用ダクトの位置に応じて、ファンブロック２の蓋板部１３と第１フランジ１４の取付位置を入替えるだけで通風口を側面部又は底面部に簡単に変更できる。蓋板部１３と第１フランジ１４の取付位置を入替する際に、別個の部品が不要なので部品点数が少なくて済み製作が容易となる。蓋板部１３を取外したときのファンブロック２の開口部を、保守点検口としても利用できるので、天井設置後でもファンコイルユニット全体を降ろさずに、ファン１１の交換や保守点検を容易に行える。
【０００８】
請求項３の発明によれば、ファンブロック２の上面側、底面側、側面側の天井内保守スペースの大小に応じて、天板部１７と蓋板部１３と第１フランジ１４のいずれかを取外すことで、ファンブロック２の上面側、底面側、側面側の所望の開口部からファン１１を取出・取付でき、交換や保守点検が容易となる。
【０００９】
請求項４の発明によれば、メインコイルブロック１はそのままで簡単にサブコイルブロック１６を追加組付けできて容易に機能アップを図れる。第２フランジ１２をサブコイルブロック１６の通風口に取付ける際に、別個の部品が不要なので部品点数が少なくて済み製作が容易となる。
【００１０】
請求項５の発明によれば、ファンブロック２はそのままで簡単にフィルタブロック１５を追加組付けできて容易に機能アップを図れる。第１フランジ１４をフィルタブロック１５の通風口に取付ける際に、別個の部品が不要なので部品点数が少なくて済み製作が容易となる。
【実施例】
【００１１】
図１〜図３は、本発明の天井設置形ファンコイルユニットの一実施例を示しており、この天井設置形ファンコイルユニットは、熱交換用のメインコイルブロック１と、送風用のファンブロック２と、を備えている。このメインコイルブロック１の底板部３を着脱自在とすると共に、メインコイルブロック１の一対の側板部４、４に、熱交換コイル７を抜差自在な下方開口状の切欠部５を各々形成する。
【００１２】
メインコイルブロック１には、冷温水などの熱源で空気を冷却または加熱する熱交換コイル７と、熱交換コイル７で発生する凝縮水などを排水するドレンパン８と、を設ける。熱交換コイル７は、熱源が流通する伝熱管１８（図３で一点鎖線で示す）をフィン１９に挿着して成り、伝熱管１８に連通する配管接続自在な熱源出入口９を、一端部に配設する。この熱交換コイル７の熱源出入口９側の一端部とその反対側の他端部に端板部１０を各々設け、この一端部と他端部を反転自在として端板部１０で切欠部５を各々塞ぐようにして、底板部３を取り外したメインコイルブロック１に熱交換コイル７を着脱自在に取付け、底板部３でメインコイルブロック１の下方開口部を閉じ、内部に熱交換コイル７を配置する。
【００１３】
図例では、端板部１０、１０を、ネジ等の公知の螺着部材等にて成る固定手段６にて、側板部４、４に着脱自在に取付け、底板部３は側板部４に固定手段６にて着脱自在に取付け、さらに、ドレンパン８はメインコイルブロック１に下部に固定手段６にて着脱自在に取付け、第２のダクト接続用フランジ１２をメインコイルブロック１の通風口に固定手段６にて着脱自在に取付けている。
【００１４】
図３の（Ａ）から図３の（Ｂ）のように、熱交換コイル７の熱源出入口９の方向（配管勝手）を変更する場合、側板部４と端板部１０を固定解除して離脱させ、図２のように側板部４、４から熱交換コイル７を抜出して、熱源出入口９側の一端部と、その反対側の他端部を反転させた後、図１のように側板部４の切欠部５に差込んで取付け、底板部３とドレンパン８を取付ける。
【００１５】
また、図４に示すように、メインコイルブロック１の熱源出入口９側の一端部とその反対側の他端部を反転自在として、ファンブロック２とメインコイルブロック１を固定手段６（図２参照）にて着脱自在に取付けする。例えば、図４の（Ａ）から図４の（Ｂ）のように、ファンコイルブロック２とメインコイルブロック１と第２フランジ１２を固定解除し各々取外してメインコイルブロック１を反転後、図４の（Ｃ）のように、第２フランジ１２とメインコイルブロック１とファンコイルブロック２を取付けて配管勝手を変更する。
【００１６】
図５の（Ａ）、（Ｂ）、（Ｃ）に示すように、端板部１０は、通風方向に伝熱面積の異なる即ち伝熱管１８の列数によりフィン１９の通風方向の長さが異なる熱交換コイル７に共用される大きさに設定する。熱交換能力の異なる熱交換コイル７に変更する場合、側板部４と端板部１０を固定解除して離脱させ、図２のように側板部４、４から熱交換コイル７を抜出して交換した後、図１のように側板部４の切欠部５に差込んで取付け、底板部３とドレンパン８を取付ける。
【００１７】
図６と図７に示すように、ファンブロック２は、熱交換コイル送風用のファン１１を、備え、ファンブロック２の底面開口部と側面開口部に共用される蓋板部１３を、図６の（Ａ）または図６の（Ｂ）のように、底面開口部と側面開口部のうちの一方に固定手段６にて着脱自在に取付けて他方を通風口とし、この通風口に第１のダクト接続用フランジ１４を固定手段６にて着脱自在に取付ける。
【００１８】
図７と図８に示すように、天板部１７はファンブロック２に固定手段６にて着脱自在に取付け、この天板部１７と蓋板部１３と第１フランジ１４のうちのいずれかを取外して成るファンブロック２の開口部からファン１１を取出・取付自在に構成する。ファン１１をファンブロック２から取出して交換したり保守点検する場合、天板部１７と蓋板部１３と第１フランジ１４のいずれかとファンブロック２を固定解除して離脱させてできた開口部からファン１１の交換や保守点検を行う。
【００１９】
また、図９の（Ａ）のようにファンブロック２の通風口に第１のダクト接続用フランジ１４を固定手段６にて着脱自在に取付けた天井設置形ファンコイルユニットにおいて、図９の（Ｂ）のように空気清浄用のフィルタブロック１５と、空気加熱用のサブコイルブロック１６と、を取付けできるように構成する。具体的には、ファンブロック２とフィルタブロック１５と第１フランジ１４の取付穴のピッチを同一にし、ファンブロック２から第２フランジ１４を取外し、ファンブロック２にフィルタブロック１５を固定手段６にて着脱自在に取付けると共に、フィルタブロック１５の通風口に第１フランジ１４を固定手段６にて着脱自在に取付ける。
【００２０】
さらに、メインコイルブロック１とサブコイルブロック１６と第２フランジ１２の取付穴のピッチを同一にし、メインコイルブロック１から第２フランジ１２を取外し、メインコイルブロック１にサブコイルブロック１６を固定手段６にて着脱自在に取付けると共に、サブコイルブロック１６の通風口に第２フランジ１２を着脱自在に取付ける。
【００２１】
なお、本発明は前記各実施例に限定されず、本発明の要旨を逸脱しない範囲で設計変更自由である。メインブロック１、ファンブロック２、熱交換コイル７、サブコイルブロック１６、第１フランジ１４、第２フランジ１２、その他の各部材に対する固定手段６の位置や固定方法の変更は自由である。
【図面の簡単な説明】
【００２２】
【図１】本発明の実施例の斜視図。
【図２】メインコイルブロックの斜視図。
【図３】メインコイルブロックを第２フランジ側から見た断面図。
【図４】メインコイルブロックの反転例を示す平面図。
【図５】熱交換コイルの変更例を示す平面図。
【図６】ファンブロックを下方から見た斜視図。
【図７】ファンブロックを上方から見た斜視図。
【図８】ファンの取出し例を示す側面図。
【図９】他の実施例を示す側面図。
【符号の説明】
【００２３】
１    メインコイルブロック
２    ファンブロック
３    底板部
４    側板部
５    切欠部
７    熱交換コイル
９    熱源出入口
１０  端板部
１１  ファン
１２  第２フランジ
１３  蓋板部
１４  第１フランジ
１５  フィルタブロック
１６  サブコイルブロック
１７  天板部
【図１】
2008261541.tif 000003
【図２】
2008261541.tif 000004
【図３】
2008261541.tif 000005
【図４】
2008261541.tif 000006
【図５】
2008261541.tif 000007
【図６】
2008261541.tif 000008
【図７】
2008261541.tif 000009
【図８】
2008261541.tif 000010
【図９】
2008261541.tif 000011
【手続補正書】
【提出日】平成19年5月24日(2007.5.24)
【手続補正１】
【補正対象書類名】特許請求の範囲
【補正対象項目名】請求項４
【補正方法】変更
【補正の内容】
【請求項４】
メインコイルブロック１の通風口に第２のダクト接続用フランジ１２を着脱自在に取付けた天井設置形ファンコイルユニットにおいて、空気加熱用のサブコイルブロック１６を備え、前記メインコイルブロック１から前記第２フランジ１２を取外し、前記メインコイルブロック１に前記サブコイルブロック１６を着脱自在に取付けると共に、前記サブコイルブロック１６の通風口に前記第２フランジ１２を着脱自在に取付けた請求項１、２又は３記載の天井設置形ファンコイルユニット。
【手続補正２】
【補正対象書類名】特許請求の範囲
【補正対象項目名】請求項５
【補正方法】変更
【補正の内容】
【請求項５】
ファンブロック２の通風口に第１フランジ１４を着脱自在に取付けた天井設置形ファンコイルユニットにおいて、空気清浄用のフィルタブロック１５を備え、前記ファンブロック２から前記第１フランジ１４を取外し、前記ファンブロック２に前記フィルタブロック１５を着脱自在に取付けると共に、前記フィルタブロック１５の通風口に前記第１フランジ１４を着脱自在に取付けた請求項１、２、３又は４記載の天井設置形ファンコイルユニット。